(57)【要約】【課題】  自動的にＣＭと番組本編との区切りにチャプタを設定することのできる番組データ記録装置を提供すること。【解決手段】  番組データ記録装置は、録画が開始された場合に、放送信号の音声方式がステレオ音声方式、多重音声方式およびモノラル音声方式のうちいずれに該当するかを判別する（Ｓ２）。そして、音声種別の判別結果に基づき、チャプタ設定処理を行なう。すなわち、Ｓ２で判別された音声方式が、異なる音声方式へ切り替わったことが検出されると（Ｓ４，Ｓ６，Ｓ８）、現在位置を取得して（Ｓ１０）、チャプタを設定する（Ｓ１２）。【選択図】        図３
2007028047.tif 000002
【特許請求の範囲】
【請求項１】
放送信号を受信するための受信手段と、
前記受信手段において受信された前記放送信号に基づく番組データを録画するための録画手段と、
前記録画手段により録画された番組データおよび、前記番組データを管理するための管理情報を記憶するための記憶手段と、
前記放送信号の音声方式が、ステレオ音声方式、多重音声方式およびモノラル音声方式のうちいずれであるかを判別するための判別手段と、
前記判別手段による判別結果に基づき、チャプタ設定を行なうための設定手段とを備え、
前記設定手段は、
録画中に、前記判別手段により判別される音声方式が、異なる音声方式に切り替わったか否かを検出するための検出手段を含み、
前記検出手段により音声方式の切り替わりが検出される毎に、前記音声方式の切り替わりの時点の位置情報を取得し、前記位置情報をチャプタ情報として前記管理情報に格納する、番組データ記録装置。
【請求項２】
放送信号を受信するための受信手段と、
前記受信手段において受信された前記放送信号に基づく番組データを録画するための録画手段と、
前記録画手段により録画された番組データおよび、前記番組データについてのチャプタ情報を記憶するための記憶手段と、
前記放送信号の音声方式が、複数の音声方式のうちいずれであるかを判別するための判別手段と、
前記判別手段による判別結果に基づき、チャプタ設定を行なうための設定手段とを備える、番組データ記録装置。
【請求項３】
前記設定手段は、
前記判別手段により判別される音声方式が、異なる音声方式に切り替わったか否かを検出するための検出手段をさらに含み、
前記検出手段により切り替わりが検出された位置に、チャプタ設定を行なう、番組データ記録装置。
【請求項４】
前記検出手段は、録画中に、音声方式の切り替わりを検出する、請求項３に記載の番組データ記録装置。
【請求項５】
前記設定手段は、前記検出手段により音声方式の切り替わりが検出される毎に、前記音声方式の切り替わりの時点の位置情報を取得し、前記位置情報を前記チャプタ情報として前記記憶手段に格納する、請求項３に記載の番組データ記録装置。
【請求項６】
録画開始からの経過時間を計時するための計時手段をさらに備え、
前記位置情報とは、録画開始からの経過時間の情報である、請求項３に記載の番組データ記録装置。
【請求項７】
前記位置情報とは、前記記憶手段におけるアドレスの情報である、請求項３に記載の番組データ記録装置。
【請求項８】
前記チャプタ情報は、前記番組データを管理するための管理情報に含まれる、請求項２に記載の番組データ記録装置。
【請求項９】
前記複数の音声方式は、ステレオ音声方式、多重音声方式およびモノラル音声方式を含む、請求項２に記載の番組データ記録装置。
【請求項１０】
いずれの音声方式からいずれの音声方式へと変化した場合にチャプタ設定するかのモードをユーザに指定させるための指定手段をさらに備え、
前記検出手段は、前記指定手段により指定されたモードに従って、音声方式の切り替わりを検出する、請求項３に記載の番組データ記録装置。
【発明の詳細な説明】
【技術分野】
【０００１】
本発明は、番組データ記録装置に関し、特に、放送信号を受信して番組データを記録可能な番組データ記録装置に関する。
【背景技術】
【０００２】
従来より、自動的にチャプタを設定可能な記録装置が存在する。
たとえば特許文献１には、入力される音声信号の変調方式を音声変調方式判定部で判定し、前回の音声変調方式と異なる場合に、録画が再開されたときの録画情報の切れ目を、チャプタ管理情報の境界としてレジスタに登録することが開示されている。
【０００３】
また、特許文献２には、ＢＧＭ検出信号またはＢＧＭ切り替わり検出信号を受け取った時間データ（録画開始からの経過時間情報としての時間データ）を、録画した番組データをチャプターとして区切るためのチャプターの先頭を示すデータとして、記録媒体に記録することが開示されている。
【特許文献１】特開２００４−２３６０７７号公報
【特許文献２】特開２００４−１４０６７５号公報
【発明の開示】
【発明が解決しようとする課題】
【０００４】
しかしながら、これらの文献では、ＣＭ（コマーシャルの略）と番組本編との区切りにチャプタを設定することについての開示はされていない。
【０００５】
本発明は、上記のような問題を解決するためになされたものであって、その目的は、自動的にＣＭと番組本編との区切りにチャプタを設定することのできる番組データ記録装置を提供することである。
【課題を解決するための手段】
【０００６】
この発明のある局面に従う番組データ記録装置は、放送信号を受信するための受信手段と、受信手段において受信された放送信号に基づく番組データを録画するための録画手段と、録画手段により録画された番組データおよび、番組データを管理するための管理情報を記憶するための記憶手段と、放送信号の音声方式が、ステレオ音声方式、多重音声方式およびモノラル音声方式のうちいずれであるかを判別するための判別手段と、判別手段による判別結果に基づき、チャプタ設定を行なうための設定手段とを備える。設定手段は、録画中に、判別手段により判別される音声方式が、異なる音声方式に切り替わったか否かを検出するための検出手段を含み、検出手段により音声方式の切り替わりが検出される毎に、音声方式の切り替わりの時点の位置情報を取得し、位置情報をチャプタ情報として管理情報に格納する。
【０００７】
この発明の他の局面に従う番組データ記録装置は、放送信号を受信するための受信手段と、受信手段において受信された放送信号に基づく番組データを録画するための録画手段と、録画手段により録画された番組データおよび、番組データについてのチャプタ情報を記憶するための記憶手段と、放送信号の音声方式が、複数の音声方式のうちいずれであるかを判別するための判別手段と、判別手段による判別結果に基づき、チャプタ設定を行なうための設定手段とを備える。
【０００８】
好ましくは、設定手段は、判別手段により判別される音声方式が、異なる音声方式に切り替わったか否かを検出するための検出手段をさらに含み、検出手段により切り替わりが検出された位置に、チャプタ設定を行なう。
【０００９】
好ましくは、検出手段は、録画中に、音声方式の切り替わりを検出する。
好ましくは、設定手段は、検出手段により音声方式の切り替わりが検出される毎に、音声方式の切り替わりの時点の位置情報を取得し、位置情報をチャプタ情報として記憶手段に格納する。
【００１０】
好ましくは、録画開始からの経過時間を計時するための計時手段をさらに備え、位置情報とは、録画開始からの経過時間の情報である。
【００１１】
好ましくは、位置情報とは、記憶手段におけるアドレスの情報である。
好ましくは、チャプタ情報は、番組データを管理するための管理情報に含まれる。
【００１２】
好ましくは、複数の音声方式は、ステレオ音声方式、多重音声方式およびモノラル音声方式を含む。
【００１３】
好ましくは、いずれの音声方式からいずれの音声方式へと変化した場合にチャプタ設定するかのモードをユーザに指定させるための指定手段をさらに備え、検出手段は、指定手段により指定されたモードに従って、音声方式の切り替わりを検出する。
【発明の効果】
【００１４】
本発明によると、放送信号の音声方式を判別することに基づき、チャプタ設定を行なうことができる。これにより、ＣＭと番組本編との区切りにチャプタを設定することが可能となる。
【発明を実施するための最良の形態】
【００１５】
本発明の実施の形態について図面を参照しながら詳細に説明する。なお、図中同一または相当部分には同一符号を付してその説明は繰返さない。
【００１６】
図１を参照して、本発明の実施の形態に係る番組データ記録装置の一態様であるＤＶＤレコーダ１００について説明する。図１は、ＤＶＤレコーダ１００のハードウェア構成を表わすブロック図である。
【００１７】
ＤＶＤレコーダ１００は、各種データおよびプログラムを格納するためのメモリ１１２と、格納されているデータおよび外部から入力される指示に基づいて予め定められた処理を実行するためのシステム制御部１１０と、外部からユーザの指示の入力を受付けるための操作部１２２と、リモコン信号を受信して所定の制御信号をシステム制御部１１０に出力するための受光部１２４と、時刻を計測して信号をシステム制御部１１０に出力するための計時回路１２６と、ＤＶＤレコーダ１００の作動状態を表わす情報を表示するための表示部１２８とを含む。なお、表示部１２８に表示される作動状態とは、たとえば、ＤＶＤレコーダにおける時刻情報、番組の記録状況等である。
【００１８】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御部１１０からの指示に基づいてデジタルデータを格納するためのハードディスク装置１４０と、ＤＶＤ１７２を駆動して映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２が接続可能であり映像音声信号を出力するための出力部１６８とを含む。ＤＶＤレコーダ１００は、伝送ケーブル１９２を介して、テレビ４００に接続されている。ハードディスク装置１４０は、データの記録と再生を行なうデータ記録再生ヘッド１４２と、データが記録されるハードディスク１４４とを含む。
【００１９】
システム制御部１１０は、チューナ１３０において受信された放送信号の音声方式が、複数の音声方式のうちいずれに該当するかを判別する機能を有する。複数の音声方式は、たとえば、ステレオ音声方式、多重音声方式およびモノラル音声方式を含む。一般的に、ＣＭ放送は、ステレオ音声方式であることが多く、本実施の形態におけるＤＶＤレコーダ１００においても、ステレオ音声方式であればＣＭ放送であると仮定する。
【００２０】
なお、ここでは、日本国内での実施を想定して、複数の音声方式をステレオ音声方式、多重音声方式およびモノラル音声方式の３つとしたが、これらの音声方式に限られない。たとえば、外国での実施を想定して、複数の音声方式を、「ＳＴＥＲＥＯ＋ＳＡＰ（Secondaly Audio Prigram）」、「ＳＴＥＲＥＯ」、「ＳＡＰ」、「ＭＯＮＯ」などの４つとしてもよい。なお、ＳＴＥＲＥＯ＋ＳＡＰ音声方式は、３チャンネルの音声方式であり、ＳＴＥＲＥＯ音声方式およびＳＡＰ音声方式は、２チャンネルの音声方式であり、ＭＯＮＯ音声方式は、１チャンネルの音声方式である。
【００２１】
また、システム制御部１１０は、音声方式の切り替わり（変化）を検出する。また、音声方式の切り替わりが検出されると、音声方式の切り替わりの時点の位置情報を取得する。
【００２２】
また、システム制御部１１０は、計時回路１２６から出力される時刻データに基づき、録画開始からの経過時間を計測する機能を有する。
【００２３】
また、システム制御部１１０は、音声方式の判別結果に基づき、チャプタ設定処理を実行する機能を有する。チャプタ設定処理としては、たとえば番組データの記録媒体に、チャプタ情報を格納する処理を行なう。なお、「チャプタ」とは、番組データのしおりとなる区切りをいい、「チャプタ情報」とは、番組データの区切りを特定するための情報をいい、たとえば、そのような区切りの位置情報である。
【００２４】
また、システム制御部１１０は、記憶されているチャプタ情報に基づき、一般的に行なわれているように、データのスキップ処理や頭出し処理などを行なうことができる。
【００２５】
なお、システム制御部１１０がメモリ１１２に格納されたプログラムを読み出すことで実現される上記した機能のうちの少なくとも１つは、ハードウェアにより実現されてもよい。
【００２６】
ここで、「番組データ」とは、プログラムに対応する一まとまりのデータである。以下の説明において、このようなデータ、あるいは、このようなデータの呼び名を「タイトル」ともいう。
【００２７】
本実施の形態において、チューナ１３０が受信した放送信号に基づく番組データは、ハードディスク装置１４０（ハードディスク１４４）に記録されるものとして説明する。なお、番組データの記録媒体はハードディスク装置１４０に限らず、たとえばＤＶＤ１７２など他の記録媒体であってもよい。また、ここでは、ハードディスク装置１４０とＤＶＤ駆動装置１７０との２つの駆動装置を備えた構成としたが、いずれか一方であってもよい。
【００２８】
番組データが記録されるハードディスク１４４は、データ領域と管理領域とを含む。データ領域には、番組データが格納される。管理領域には、番組データを管理するためのタイトル管理テーブルが格納される。
【００２９】
図２は、本発明の実施の形態におけるタイトル管理テーブルの構造例を示す図である。
図２を参照して、タイトル管理テーブルは、データ領域に記録された番組データを、タイトルごとに管理するタイトル管理データＢｊ（ｊ＝１、２、３、…、ｎ）を有する。
【００３０】
タイトル管理データＢｊは、対応の番組データを特定するための情報として、録画日時データＤ１、チャンネルデータＤ２、開始アドレスデータＤ３、終了アドレスデータＤ４、録画時間長データＤ５およびチャプタ位置データＤ６を含む。
【００３１】
チャプタ位置データＤ６は、タイトル管理データＢｊにより管理される番組データのチャプタ情報、たとえば位置情報である。この位置情報は、データ領域のアドレス情報であってもよいし、録画開始からの経過時間を示す時間情報であってもよい。本実施の形態では、位置情報として時間情報が格納されることとする。つまり、チャプタ位置データＤ６には、録画開始時刻からの経過時間の情報が格納される。なお、このチャプタ位置データＤ６には、複数のチャプタ位置の情報が格納されてよい。
【００３２】
このように、タイトル管理データＢｊにチャプタ位置データＤ６が含まれることで、システム制御部１１０は、上記したような、データのスキップ処理や頭出し処理などを実行することができる。
【００３３】
なお、本実施の形態において、チャプタ情報は、対応する番組データのタイトル管理データＢｊに含まれることとしたが、番組データと関連付いて記憶されればよく、他の領域に記憶されてもよい。また、チャプタ情報は、番組データが格納される記録媒体（ハードディスク１４４）に記憶されることとして説明するが、他の記録媒体（記憶領域）に記憶されてもよい。
【００３４】
図３は、本発明の実施の形態におけるチャプタ設定処理の流れを示すフローチャートである。図３に示される処理は、予めプログラムとしてメモリ１１２に格納されており、システム制御部１１０がこのプログラムを読み出して実行することにより、チャプタ設定処理の機能が実現される。
【００３５】
始めに、システム制御部１１０は、番組データの録画が開始されたか否かを判断する（ステップＳ１）。録画が開始されるまで待機する（ステップＳ１においてＮＯ）。なお、番組データの録画は、ユーザが直接指示して実行されるものであってもよいし、タイマ録画予約に基づき実行されものであってもよい。
【００３６】
ステップＳ１において、録画が開始したと判断した場合（ステップＳ１においてＹＥＳ）、システム制御部１１０は、現在の音声方式が、ステレオ音声方式、モノラル音声方式、多重音声方式のうちいずれであるかを判別する（ステップＳ２）。現在の音声方式が「ステレオ」であった場合、Ｓ４に進む。現在の音声方式が「多重」である場合ステップＳ６に進む。現在の音声方式が「モノラル」である場合ステップＳ８に進む。また、このとき、計時回路１２６から出力される時刻データに基づき、録画開始時刻の情報をメモリ１１２に一時的に記録する。
【００３７】
ステップＳ４において、システム制御部１１０は、音声方式がステレオから多重またはモノラルに変化したか否かを判断する。音声方式がステレオから多重またはモノラルに変化したと判断した場合（ステップＳ４においてＹＥＳ）、ステップＳ１０に進む。一方、ステレオから多重またはモノラルに変化していないと判断した場合（ステップＳ４においてＮＯ）、ステップＳ１４に進む。
【００３８】
ステップＳ６において、システム制御部１１０は、音声方式が多重からステレオまたはモノラルに変化したか否かを判断する。多重からステレオまたはモノラルに変化したと判断した場合（ステップＳ６においてＹＥＳ）、ステップＳ４に進む。音声方式が多重からステレオまたはモノラルに変化していないと判断した場合（ステップＳ６においてＮＯ）、ステップＳ１４に進む。
【００３９】
ステップＳ８において、システム制御部１１０は、音声方式がモノラルからステレオまたは多重に変化したか否かを判断する。モノラルからステレオまたは多重に変化したと判断した場合ステップＳ１０に進む。一方、モノラルからステレオまたは多重に変化していないと判断した場合（ステップＳ８においてＮＯ）、ステップＳ１４に進む。
【００４０】
ステップＳ１０において、システム制御部１１０は、録画中の番組データの現在位置の情報を取得する。より具体的には、計時回路１２６からの出力される時刻データと、Ｓ２において一時的に記録した録画開始時刻の情報とに基づき、録画開始からの経過時間を算出する。
【００４１】
続いて、システム制御部１１０は、取得した現在位置の情報に基づいてチャプタ設定処理を行なう（ステップＳ１２）。より具体的には、録画開始からの経過時間の情報を、タイトル管理データＢｊのチャプタ位置データＤ６に格納する。ステップＳ１２の処理が終わると、ステップＳ１４に進む。
【００４２】
ステップＳ１４において、システム制御部１１０は、録画が終了したか否かを判断する。録画が終了するまで（ステップＳ１４においてＮＯ）、上記ステップＳ２からステップＳ１２の処理を繰返す。録画が終了したと判断した場合（ステップＳ１４においてＹＥＳ）、この一連の処理を終了する。
【００４３】
このように、本発明の実施の形態のＤＶＤレコーダ１００によれば、録画中に、音声方式の切り替わりを検出することで、自動的にチャプタ設定が可能となる。音声方式の判別は、従来の装置でも通常行われているものであるので、本発明では、これを利用してチャプタの設定を行なうことができる。
【００４４】
なお、本実施の形態では、録画中に、チャプタ設定の処理を行なったが、録画終了後にタイトルごとに上述のような処理を行なってもよい。
【００４５】
また、ステップＳ１２においてチャプタ設定をした場合に、チャプタを設定した旨の表示をテレビ４００あるいは表示部１２８に表示してもよい。このようにすることで、ユーザは、録画を実行しながらどの場面でチャプタが設定されたかを把握することができる。
【００４６】
また、上述の処理においては、音声方式が、ステレオ音声方式、モノラル音声方式および多重音声方式のうちいずれに変化しても、チャプタ設定を行なうこととしたが、チャプタ設定を行なう対象の音声方式をユーザに指定させてもよい。この場合の具体例を以下、変形例として説明する。
【００４７】
（変形例）
本発明の実施の形態の変形例に係る番組データ記録装置の構成および基本的な動作については、上記実施の形態と同様であるので、ここでも図１に示した符号を用いて説明する。
【００４８】
本実施の形態の変形例におけるＤＶＤレコーダ１００は、どの音声方式からどの音声方式に切り替わったときにチャプタ設定を実行するかを、ユーザに指定させる機能を有する。たとえば、ＤＶＤレコーダ１００のメニューの１つに“チャプタモード指定”というメニューを設けて、以下のような処理を行なう。
【００４９】
図４は、本発明の実施の形態の変形例におけるチャプタモード指定処理の流れを示すフローチャートである。図４に示される処理は、予めプログラムとしてメモリ１１２に格納されており、システム制御部１１０がこのプログラムを読み出して実行することにより、チャプタモード指定処理の機能が実現される。なお、この処理は、たとえば、ユーザがチャプタモード指定メニューを選択したことを、システム制御部１１０が検知した場合に開始される処理である。
【００５０】
図４を参照して、システム制御部１１０は、はじめに、テレビ４００にチャプタモード指定画面を表示する（ステップＳ１０２）。チャプタモード指定画面の一例を図５に示す。
【００５１】
図５を参照して、チャプタモード指定画面には、複数のモードが表示される。たとえば、「１．オール」、「２．ステレオ⇒モノラル」、「３．ステレオ⇔モノラル」、「４．モノラル⇒ステレオ」、「５．ステレオ⇒多重」、「６．ステレオ⇔多重」、…などのモードが表示される。ここで、「オール」とは、上述の実施の形態におけるチャプタ設定処理のように、全ての音声方式を対象にチャプタ設定を行なうことを表わす。「ステレオ⇒モノラル」とは、ステレオ音声方式からモノラル音声方式に変化した場合にのみチャプタ設定を行なうことを表わす。「ステレオ⇔モノラル」とは、ステレオ音声方式からモノラル音声方式、あるいは、モノラル音声方式からステレオ音声方式に変化した場合にチャプタ設定を行なうことを表わす。
【００５２】
再び図４を参照して、システム制御部１１０は、次に、ユーザにより、いずれかのチャプタモードが指定されたか否かを判断する（ステップＳ１０４）。チャプタモードが指定されたと判断するまで待機する（ステップＳ１０４においてＮＯ）。ステップＳ１０４において、ユーザによりチャプタモードが指定されたと判断した場合（ステップＳ１０４においてＹＥＳ）、指定されたチャプタモードの情報をたとえばメモリ１１２に格納する（ステップＳ１０６）。
【００５３】
ここで、本実施の形態の変形例においては、たとえばメモリ１１２に、図６に示すようなモード管理テーブルを格納することとしてもよい。この場合、ステップＳ１０６において、指定されたチャプタモードの対応の欄にフラグ‘１’を立てる。指定されたチャプタモード以外のモードの欄は、‘０’が格納される。
【００５４】
以上で、チャプタモード指定処理は終了される。
このようにユーザがチャプタモードを指定可能とすることで、ユーザは、希望する箇所にのみ自動でチャプタを設定することができる。したがって、たとえば、連続して複数の番組を録画した場合、すなわち、１タイトル中に複数の番組が含まれている場合に特に有用である。たとえば、一度の操作で映画とドラマとを録画する場合（１タイトル中に映画とドラマとが含まれる場合）に、ユーザは、映画におけるＣＭと本編との区切りにのみチャプタ設定を行ないたいと仮定する。この場合、映画の音声方式が「多重」でドラマの音声方式が「モノラル」であると、ユーザは「ステレオ⇔多重」を指定することで、映画にのみチャプタ設定が可能となる。これにより、必要なチャプタだけを設定することができ、有用性が向上する。
【００５５】
なお、変形例におけるチャプタ設定処理は、次のようにして実行可能である。実施の形態で用いた図３を参照して、ステップＳ１とステップＳ２との間に、チャプタモード読み出しの処理を追加する。そして、ステップＳ４，６，８に代えて、読み出したチャプタモードに応じた音声方式の変化を検出する。そして、変化が検出されると、上記したステップＳ１０〜Ｓ１４の処理を行なう。
【００５６】
また、図６に示したようなモード管理テーブルを、不揮発性のメモリに記憶させることで、毎回モードの指定をしなくても済むようにしてもよい。また、デフォルトとして「オール」にフラグが立てられていて、変更したい場合にのみ、図４に示したような処理が行なわれてもよい。
【００５７】
上記ＤＶＤ１７２の代わりに、プログラムを記録しているたとえば光学媒体等を駆動装置で読み出して、メモリ１１２のプログラムをアップデートすることもできる。
【００５８】
また、本発明の番組データ記録装置が行なう、チャプタ設定方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【００５９】
提供されるプログラム製品は、ハードディスクなどのプログラム格納部にインストールされて実行される。なお、プログラム製品は、プログラム自体と、プログラムが記録された記録媒体とを含む。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６１】
【図１】本発明の実施の形態に係る番組データ記録装置のハードウェア構成を表わすブロック図である。
【図２】本発明の実施の形態におけるタイトル管理テーブルの構造例を示す図である。
【図３】本発明の実施の形態におけるチャプタ設定処理の流れを示すフローチャートである。
【図４】本発明の実施の形態の変形例におけるチャプタモード指定処理の流れを示すフローチャートである。
【図５】本発明の実施の形態の変形例におけるチャプタモード指定画面の一例を示す図である。
【図６】本発明の実施の形態の変形例におけるモード管理テーブルの内容例を示す図である。
【符号の説明】
【００６２】
１００  ＤＶＤレコーダ、１１０  システム制御部、１１２  メモリ、１１４  ＯＳＤ画像生成回路、１２２  操作部、１２４  受光部、１２６  計時回路、１２８  表示部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１７２  ＤＶＤ、１９０  アンテナ、４００  テレビ。
【図１】
2007028047.tif 000003
【図２】
2007028047.tif 000004
【図３】
2007028047.tif 000005
【図４】
2007028047.tif 000006
【図５】
2007028047.tif 000007
【図６】
2007028047.tif 000008